(57)【要約】【課題】  従来に比して簡易な構造の装置とし、しかも水、粉塵、及びスケール等の影響による測定精度の低下を防止することが可能な移動鋼材の表面温度測定装置及び表面温度測定方法を提供する。【解決手段】  移動鋼板８の下方に配置されたローラ７１，７２の間に、エプロン３を設ける。このエプロン３の下側においてハウジング４を支持し、ハウジング４の内部に放射温度計２及び反射板５を収容する。ハウジング４には窓４１を設け、ハウジング４の内部を密閉状態とする。移動鋼板８の下面から放射された放射光が、エプロン３に設けられた開口部３１及び窓４１を通過し、反射板５によって反射され、放射温度計２のレンズ２１に至る。【選択図】図２
2013250054.tif 000002
【特許請求の範囲】
【請求項１】
移動鋼材からの放射光を導入するための窓を具備するハウジングと、
前記ハウジングに収容され、複数の光電変換素子を具備し、前記窓から導入された放射光を各光電変換素子によって受光して移動鋼材の表面温度を測定するための放射温度計と、
を備える、
移動鋼材の表面温度測定装置。
【請求項２】
前記ハウジングに収容され、前記窓から導入された放射光を反射するための反射板を更に備え、
前記放射温度計は、前記反射板によって反射された光を各光学変換素子によって受光するように構成されている、
請求項１に記載の移動鋼材の表面温度測定装置。
【請求項３】
移動鋼材を搬送するために移動鋼材の下方に並べて配置された２つのローラの間に設けられた支持部材をさらに備え、
前記ハウジングは、前記支持部材の下方において前記支持部材に支持されている、
請求項２に記載の移動鋼材の表面温度測定装置。
【請求項４】
前記支持部材には、移動鋼材からの放射光を通過させるための開口部が設けられており、
前記ハウジングは、前記開口部を通過した放射光を、前記窓を通じて導入するように構成されており、
前記反射板は、前記ハウジングの下部に、前記放射温度計は、前記ハウジングの上部にそれぞれ配置されている、
請求項３に記載の移動鋼材の表面温度測定装置。
【請求項５】
放射温度計による温度測定に影響を与える飛散物が、前記開口部から前記窓へ至る放射光の光路に進入することを防止するために、前記支持部材に設けられた遮蔽部をさらに備える、
請求項４に記載の移動鋼材の表面温度測定装置。
【請求項６】
前記遮蔽部は、可撓性を有するシート状の合成樹脂部材によって構成されており、垂下するように前記支持部材に取り付けられている、
請求項５に記載の移動鋼材の表面温度測定装置。
【請求項７】
前記反射板は、前記移動鋼材からの放射光の前記反射板への入射角が３０°以下となるように前記ハウジングに取り付けられている、
請求項２乃至６の何れかに記載の移動鋼材の表面温度測定装置。
【請求項８】
前記窓は、少なくとも０．９μｍ以上１．７μｍ以下の波長の放射光を透過する透光性材料によって構成されており、
前記光電変換素子は、少なくとも０．９μｍ以上１．７μｍ以下の波長の放射光を受光したときに、受光量に応じた電気信号を出力するように構成されている、
請求項１乃至７の何れかに記載の移動鋼材の表面温度測定装置。
【請求項９】
前記窓は、前記移動鋼材からの放射光の前記窓への入射角が３０°以下となるように前記ハウジングに取り付けられている、
請求項１乃至８の何れかに記載の移動鋼材の表面温度測定装置。
【請求項１０】
前記窓に付着した付着物を除去するための空気を噴射するパージ部をさらに備える、
請求項１乃至９の何れかに記載の移動鋼材の表面温度測定装置。
【請求項１１】
移動鋼材からの放射光を、ハウジングに設けられた窓から前記ハウジング内に導入し、
前記ハウジングに収容され、複数の光電変換素子を具備する放射温度計によって、前記窓から導入された放射光を受光して、放射光に応じた電気信号を出力し、
前記放射温度計から出力された電気信号に応じて、画面に移動鋼材における表面温度分布を表示する、
移動鋼材の表面温度測定方法。
【発明の詳細な説明】
【技術分野】
【０００１】
本発明は、圧延中の鋼板等の高温移動鋼材の表面温度測定装置及び表面温度測定方法に関する。
【背景技術】
【０００２】
熱間圧延及び連続鋳造等の高温下における鋼材加工プロセスでは、加工中又は加工後の鋼材の表面温度分布を測定することが行われている。かかる鋼材加工プロセスでは、高温の鋼材がローラ等で搬送されており、搬送中の鋼材の表面温度を測定する必要がある。このため、熱電対のような接触型の温度計を用いることは難しく、非接触型の温度計である放射温度計が広く使用されている。また、熱間圧延工程及び連続鋳造工程では冷却水により鋼材を冷却するため水滴及び水蒸気が多い環境であり、また鋼材の表面から剥がれ落ちたスケールも存在する。これらの水滴及びスケール等は放射温度計による正確な測温を阻害する要因となっている。
【０００３】
例えば、特許文献１等には、放射温度計を使用した高温移動材料の表面温度測定方法が開示されている。特許文献１に開示されている表面温度測定方法は、ノズルから鋼板へ向けて水を噴射することで光導波路である水柱を形成し、この水柱を介して鋼板表面からの放射光を放射温度計で受光して、鋼板の表面温度を測定するものである。かかる特許文献１の表面温度測定方法では、水柱を光導波路として使用することで、多量の冷却水が存在する環境においても放射光の光路を安定して確保することができる。
【先行技術文献】
【特許文献】
【０００４】
【特許文献１】特開２００３−１８５５０１号公報
【発明の概要】
【発明が解決しようとする課題】
【０００５】
しかしながら、特許文献１に開示されている表面温度測定方法にあっては、水柱を形成するための機構が必要となり、装置が大型となり、構造が複雑となるという問題がある。また、測温中は常に水を噴射しておく必要があるため大量の水を必要とし、運用コストが嵩む。
【０００６】
本発明は斯かる事情に鑑みてなされたものであり、その主たる目的は、上記課題を解決することができる移動鋼材の表面温度測定装置及び移動鋼材の表面温度測定方法を提供することにある。
【課題を解決するための手段】
【０００７】
上述した課題を解決するために、本発明の一の態様の移動鋼材の表面温度測定装置は、移動鋼材からの放射光を導入するための窓を具備するハウジングと、前記ハウジングに収容され、複数の光電変換素子を具備し、前記窓から導入された放射光を各光電変換素子によって受光して移動鋼材の表面温度を測定するための放射温度計と、を備える。
【０００８】
この態様において、前記表面温度測定装置は、前記ハウジングに収容され、前記窓から導入された放射光を反射するための反射板を更に備え、前記放射温度計は、前記反射板によって反射された光を各光学変換素子によって受光するように構成されていてもよい。
【０００９】
また、上記態様において、前記表面温度測定装置は、移動鋼材を搬送するために移動鋼材の下方に並べて配置された２つのローラの間に設けられた支持部材をさらに備え、前記ハウジングは、前記支持部材の下方において前記支持部材に支持されていてもよい。
【００１０】
また、上記態様において、前記支持部材には、移動鋼材からの放射光を通過させるための開口部が設けられており、前記ハウジングは、前記開口部を通過した放射光を、前記窓を通じて導入するように構成されており、前記反射板は、前記ハウジングの下部に、前記放射温度計は、前記ハウジングの上部にそれぞれ配置されていてもよい。
【００１１】
また、上記態様において、前記表面温度測定装置は、放射温度計による温度測定に影響を与える飛散物が、前記開口部から前記窓へ至る放射光の光路に進入することを防止するために、前記支持部材に設けられた遮蔽部をさらに備えていてもよい。
【００１２】
また、上記態様において、前記遮蔽部は、可撓性を有するシート状の合成樹脂部材によって構成されており、垂下するように前記支持部材に取り付けられていてもよい。
【００１３】
また、上記態様において、前記反射板は、前記移動鋼材からの放射光の前記反射板への入射角が３０°以下となるように前記ハウジングに取り付けられていてもよい。
【００１４】
また、上記態様において、前記窓は、少なくとも０．９μｍ以上１．７μｍ以下の波長の放射光を透過する透光性材料によって構成されており、前記光電変換素子は、少なくとも０．９μｍ以上１．７μｍ以下の波長の放射光を受光したときに、受光量に応じた電気信号を出力するように構成されていてもよい。
【００１５】
また、上記態様において、前記窓は、前記移動鋼材からの放射光の前記窓への入射角が３０°以下となるように前記ハウジングに取り付けられていてもよい。
【００１６】
また、上記態様において、前記表面温度測定装置は、前記窓に付着した付着物を除去するための空気を噴射するパージ部をさらに備えていてもよい。
【００１７】
また、本発明の一の態様の移動鋼材の表面温度測定方法は、移動鋼材からの放射光を、ハウジングに設けられた窓から前記ハウジング内に導入し、前記ハウジングに収容され、複数の光電変換素子を具備する放射温度計によって、前記窓から導入された放射光を受光して、放射光に応じた電気信号を出力し、前記放射温度計から出力された電気信号に応じて、画面に移動鋼材における表面温度分布を表示する。
【発明の効果】
【００１８】
本発明に係る移動鋼材の表面温度測定装置及び移動鋼材の表面温度測定方法によれば、従来に比して簡易な構造の装置としつつ、水、粉塵、及びスケール等の影響による測定精度の低下を防止することができる。
【図面の簡単な説明】
【００１９】
【図１】実施の形態に係る表面温度測定装置の構成を示す正面図。
【図２】図１に示すＡ−Ａ線による断面矢視図。
【図３】図１に示すＢ−Ｂ線による断面矢視図。
【図４】反射板の絶対反射率と入射角との関係を示すグラフ。
【図５】実施の形態に係る表面温度測定装置のパージ部の構成を示す正面図。
【図６】放射温度計の詳細な構成を示す模式図。
【図７】放射温度計の使用画素アレイを選択するための画面を示す模式図。
【発明を実施するための形態】
【００２０】
以下、本発明の好ましい実施の形態を、図面を参照しながら説明する。
【００２１】
図１は、本実施の形態に係る表面温度測定装置１の全体構成を示す正面図であり、図２は、図１に示すＡ−Ａ線による断面矢視図（側面断面図）であり、図３は、図１に示すＢ−Ｂ線による断面矢視図（平面断面図）である。
【００２２】
本実施の形態では、熱間圧延プロセスにおいて移動される鋼板の下面の温度を測定する表面温度測定装置１について説明する。図に示すように、移動鋼板８は、ローラ７１及び７２によって搬送される。ローラ７１及び７２は、図２中の矢印Ｒ方向（図２において時計周り方向）に回転する。この回転により、ローラ７１及び７２の上方に載置された移動鋼板８が矢印Ｘ方向に搬送される。
【００２３】
表面温度測定装置１は、放射温度計２、ローラ７１及び７２の間に設けられたエプロン３、ハウジング４、及び反射鏡５を備えている。エプロン３は、水平方向に配置された鋼板３ａを具備し、前後（図２中の矢印Ｘ方向を前方、その反対方向を後方とする。）のそれぞれに垂直方向に延びる鋼板３ｂ，３ｃが垂下するように取り付けられている。前側の鋼板３ｂの下端には、可撓性を有する合成樹脂によって構成されたカーテン３２が取り付けられている。また、鋼板３ａには、横方向に細長い長方形の開口部３１が設けられている。
【００２４】
エプロン３の下側には、放射温度計２を収容するハウジング４が支持されている。さらに詳細に説明すると、鋼板３ａの下面及び鋼板３ｃの前面に、ハウジング４の上端部分が固着されている。ハウジング４は、正面視において四角形の前後方向に短い箱状をなしている。かかるハウジング４の上部に、放射温度計２が収容されている。
【００２５】
放射温度計２は、いわゆるサーモビューア（熱画像撮像装置）であり、複数の光電変換素子（画素）がマトリックス状に配置されたセンサアレイとレンズ２１とを具備している。本実施の形態では、センサアレイは、０．９〜１．７μｍの波長の放射光（赤外線）を測定可能としている。かかる放射温度計２は、レンズ２１によって放射光を集光し、集光された放射光がセンサアレイによって受光され、各光電変換素子の受光強度に応じた電気信号を出力する。
【００２６】
放射温度計２は、本体が水冷ジャケット２２に収容され、放射温度計２及び水冷ジャケット２２が温度計ボックス２３に収容されている。かかる放射温度計２の構成については後述する。
【００２７】
放射温度計２は、ハウジング４の内部において左右方向中央に配置されている。また、放射温度計２は、レンズ２１を下側にして配置されている。即ち、放射温度計２は、下方からの放射光を受光可能とされている。放射温度計２の下方、ハウジング４の底部には、左右方向に長いアルミニウム製の反射板５が配置されている。反射板５は上側に反射面（鏡面）を向けるように配置されており、この反射板５によって反射された放射光が放射温度計２によって受光される。
【００２８】
ハウジングの前側は、後方に窪んだ部分が設けられており、この窪みの下側に傾斜部４ａが設けられている。即ち、ハウジング前面の上下方向中央部分よりも、ハウジング前面の下部は前方に突出しており、上下方向中央部の垂直面と、下部の垂直面とを繋ぐように、前斜め上方を向く傾斜部４ａが設けられている。かかる傾斜部４ａには、ガラスにより構成された窓４１が設けられている。窓４１の周囲にはゴム製のパッキン４２が設けられており、ハウジング４の窓４１の取り付け部分と窓４１との間の隙間がないようにされている。このように、ハウジング４は全体として密閉状態となっている。
【００２９】
移動鋼板８の下面から放射された放射光は、エプロン３の開口部３１を通じてエプロン３の下方へと進行する。開口部３１を通過した放射光は、窓４１を透過し、ハウジング４の内部に導入される。さらに放射光は反射板５によって反射され、反射板５の上方（概ね直上）に位置するレンズ２１に至る。レンズ２１によって放射光がセンサアレイに集光され、当該センサアレイにより受光された放射光の強度に応じた電気信号が出力される。
【００３０】
ここで、図１及び図２に示すように、移動鋼板８の下面から放射された放射光は、窓４１に対して入射角が３０°以下となるように入射する。換言すれば、窓４１は、移動鋼板８からの放射光が３０°以下の入射角で入射するようにハウジング４に取り付けられている。入射角が３０°以下であると、窓４１における放射光の透過率が十分に高いが、入射角が３０°よりも大きくなると、窓４１の放射光の透過率が減少し、放射温度計２による温度測定の精度が低下する。このため、窓４１が上記のような構成とされる。
【００３１】
また、窓４１は、移動鋼板８からの放射光の入射角が３０°以下となる範囲内で、可能な限り鉛直方向に近い角度で設置される。即ち、傾斜部４ａがそのような角度となるように設けられ、その傾斜部４ａに移動鋼板８が取り付けられる。これにより、窓４１に水滴が付着しても、自重により窓４１を伝って水滴が流れ落ち、水滴の付着による窓４１の放射光の透過率減少を抑制することができる。
【００３２】
また、移動鋼板８の下面から放射され、窓４１を透過した放射光は、反射板５の反射面に対して入射角が３０°以下となるように入射する。換言すれば、反射板５は、移動鋼板８からの放射光が３０°以下の入射角で入射するようにハウジング４に取り付けられている。図４は、反射板５の絶対反射率と入射角との関係を示すグラフである。図４に示すように、入射角が３０°以下の範囲では、Ｐ波及びＳ波共に絶対反射率が０．９０付近となり、十分に高い反射率を確保することができる。これに対して、入射角が３０°よりも大きい場合、入射角が大きくなるにしたがってＳ波の絶対反射率が少しずつ増大し、その一方でＰ波の絶対反射率が急激に減少する。このように、反射板５における放射光の入射角が大きすぎると、絶対反射率が低下し、放射温度計２による温度測定の精度が低下する。このため、反射板５が上記のような構成とされる。
【００３３】
本実施の形態においては、反射板５により反射された放射光を放射温度計２によって測定する構成としたため、放射光の光路を長くすることができ、移動鋼板８の測定範囲を広く確保することができる。図１に示すように、移動鋼板８の横幅の概ね全体が測定範囲となっている。さらに詳細に説明すると、図１に示すように、エプロン３の開口部３１の横方向の長さは、移動鋼板８の横幅の長さよりも若干小さくされている。さらに、窓４１の横方向の長さは、開口部３１の曳方向の長さよりも小さく、且つ、反射板５の横方向の長さよりも大きくされている。このように構成することで、移動鋼板８の下面から放射温度計２に至る光路において、放射温度計２から離れるにしたがって光路の横幅を広くすることができ、移動鋼板８の横幅の概ね全体を測定範囲とすることができる。
【００３４】
また、窓４１の上方には、パージ部６が設けられている。かかるパージ部６は、ハウジング４の前面の外側に取り付けられている。図５は、パージ部６の構成を示す正面図である。図５に示すように、パージ部６は、ノズルヘッド６１及び複数のノズル６２，６２，…を具備している。ノズルヘッド６１は横方向に細長く延びた円筒であり、内部は空気を流通させるために空洞とされている。ノズルヘッド６１の下部には、複数のノズル６２，６２，…が等間隔に設けられている。ノズルヘッド６１は図示しないエアコンプレッサに連結されており、エアコンプレッサからノズルヘッド６１に供給された空気が各ノズル６２，６２，…から噴出されるようになっている。ノズル６２，６２，…から噴出された空気は窓４１に吹き付けられ、これによって窓４１に付着した水、粉塵、及びスケールが排除される。
【００３５】
ローラ７１及び７２それぞれの下方には、ローラ冷却水ノズル７１ａ，７２ａが設けられている。ローラ冷却水ノズル７１ａ，７２ａのそれぞれには、図示しないポンプが接続されており、冷却水が供給されるようになっている。冷却水はローラ冷却水ノズル７１ａ，７２ａから上方のローラ７１，７２へと噴出される。ローラ７１，７２は図２に示す矢印Ｒ方向へ回転しており、ローラ７１，７２に付着した冷却水はローラ７１，７２の回転により上方へと巻き上げられる。これにより、移動鋼板８に冷却水が到達し、ローラ７１，７２及び移動鋼板８が冷却されることになる。
【００３６】
ローラ７１，７２及び移動鋼板８に付着した冷却水、並びにローラ冷却水ノズル７１ａ，７２ａから噴出された冷却水は、水蒸気及び水滴となって移動鋼板８の下方において飛散する。特に、ローラ７１及びローラ冷却水ノズル７１ａから飛散した水滴及び水蒸気は、カーテン３２によって後方（カーテン３２よりハウジング４側）へ侵入することが防止される。また、ローラ７１によって巻き上げられた冷却水は、ローラ７１の表面及び移動鋼板８の表面から飛散し、開口部３１を介してカーテン３２とハウジング４との間の空間に侵入する場合がある。同様に、移動鋼板８の下面から脱落したスケール及び空気中の粉塵もまた、開口部３１を介してカーテン３２とハウジング４との間の空間に侵入する場合がある。このようにしてカーテン３２とハウジング４との間の空間に侵入した水滴、水蒸気、粉塵、及びスケールが窓４１に付着しても、上述したパージ部６から噴出された空気によって窓４１から除去される。
【００３７】
エアコンプレッサからは連続して空気がパージ部６に供給される。これにより、ノズル６２，６２，…から連続して空気が噴出され、常に窓４１に空気が吹き付けられる。したがって、窓４１に付着した水、粉塵、及びスケールは即座に窓４１から除去されることとなる。これにより、水、粉塵、及びスケールによって放射光が窓４１を透過することが阻害されることがなく、正確な温度測定が可能となる。
【００３８】
また、開口部３１の横方向の長さは、移動鋼板８の横幅の概ね全体を測定範囲とするために最低限必要とされる長さとなっている。即ち、開口部３１の横方向の長さは、移動鋼板８の横幅の概ね全体を測定範囲とすることができる概ね最小の長さである。このため、開口部３１からエプロン３の下方に水滴及びスケール等が進入することが抑制される。
【００３９】
図６は、放射温度計２の詳細な構成を示す模式図である。図６に示すように、放射温度計２の本体は水冷ジャケット２２によって被覆されている。さらに水冷ジャケット２２の外側には温度計ボックス２３が設けられており、放射温度計２及び水冷ジャケット２２が温度計ボックス２３に収容されている。放射温度計２のレンズ２１だけが、温度計ボックス２３から露出されており、外部からの放射光をレンズ２１により集光することができるようになっている。
【００４０】
水冷ジャケット２２には、給水用チューブ２２ａ及び排水用チューブ２２ｂが連結されている。給水用チューブ２２ａには図示しないポンプが接続されており、冷却水が当該ポンプから給水用チューブ２２ａを通じて水冷ジャケット２２に供給されるようになっている。このようにして水冷ジャケット２２に供給された冷却水は、水冷ジャケット２２の内部を循環し、排水用チューブ２２ｂに流入し、排水用チューブ２２ｂを介して外部に排出される。
【００４１】
放射温度計２には、制御部２４が内蔵されている。また、放射温度計２には、ＬＡＮケーブル２ａのコネクタ及びＢＮＣケーブル２ｂのコネクタが設けられており、これらのコネクタにＬＡＮケーブル２ａ及びＢＮＣケーブル２ｂが連結されている。ＬＡＮケーブル２ａにはパーソナルコンピュータ９１が接続されており、ＢＮＣケーブル２ｂにはテレビモニタ９２が接続されている。制御部２４は、所定の通信プロトコルを使用してパーソナルコンピュータ９１と通信することが可能である。これにより、センサアレイによって出力された電気信号を、制御部２４がパーソナルコンピュータ９１に送信し、パーソナルコンピュータ９１のディスプレイに、放射温度計２による出力データ（測温データ）が表示される。
【００４２】
また、制御部２４は、ＢＮＣケーブル２ｂを通じてテレビモニタ９２に映像信号を出力することも可能である。これにより、テレビモニタ９２に放射温度計２による測温結果（移動鋼板８の表面温度分布）を表示することができる。
【００４３】
次に、本実施の形態に係る表面温度測定装置の動作について説明する。移動鋼板８からの放射光は、エプロン３の開口部３１及び窓４１を通過してハウジング４の内部に導入される。ハウジング４の内部に導入された放射光は、反射板５によって反射され、ハウジング４の上部に設けられた放射温度計２によって測定される。
【００４４】
移動鋼板８の表面温度を測定する前処理として、センサアレイのうち、測定に使用する画素列（以下、「画素アレイ」という。）が選択される。この処理では、制御部２４が放射温度計２の出力データをパーソナルコンピュータ９１に送信する。パーソナルコンピュータ９１には、放射温度計２の出力データが表示される。図７は、パーソナルコンピュータ９１のディスプレイに表示された放射温度計の出力データを示す模式図である。パーソナルコンピュータ９１のディスプレイには、センサアレイの各画素における放射光の受光レベルが色により示された２次元グラフが表示される。この２次元グラフの各行が、センサアレイの各画素アレイに対応している。オペレータは、当該２次元グラフを参照して、どの画素アレイを測温に使用するかを決定する。２次元グラフの各行は選択可能であり、オペレータはマウス又はキーボード等の入力デバイスを使用して、測温に使用する画素アレイに対応する行を選択する。これにより、使用画素アレイが選択される。
【００４５】
使用画素アレイが選択されると、テレビモニタ９２による移動鋼板の表面温度分布表示が行われる。移動鋼板８は、ローラ７１，７２の等速回転動作により、Ｘ方向に等速移動する。センサアレイでは所定のサンプリング周波数毎に画素アレイが走査され、繰り返し移動鋼板８の表面温度が測定される。制御部２４は、選択された使用画素アレイの出力データを、各サンプリング時刻において抽出し、各サンプリング時刻の使用画素アレイの出力データを合成することで、２次元の表面温度分布画像を生成する。移動鋼板８が等速移動することにより、使用画素アレイにおいて測定される箇所が時間に応じて変化する。使用画素アレイは所定周期により繰り返し走査されるため、使用画素アレイの出力データを時系列に合成した表面温度分布画像は、移動鋼板８の下面の温度分布を２次元で示した画像となる。制御部２４は、テレビモニタ９２に映像信号を出力することで、かかる表面温度分布画像をテレビモニタ９２に表示させる。オペレータは、表面温度分布画像を参照することで、移動鋼板８の下面の温度分布を把握することができる。
【００４６】
以上詳述した如く、本実施の形態に係る表面温度測定装置１は、窓４１を設けたハウジング４に放射温度計２を収容したので、ハウジング４の内部の放射温度計２の光路上に水、粉塵、及びスケールが侵入することを防止し、これらの影響による測定精度の低下を防止することが可能となる。また、表面温度測定装置１には、水柱を形成するためのノズル等の光路（導波路）を形成するための稼働箇所がないので、従来に比して構造を簡易にすることができ、製造コストを抑制することが可能となる。
【００４７】
また、ローラ７１，７２の間にエプロン３が配置されており、当該エプロン３の下方に放射温度計２が配置されているので、ローラ７１，７２及び移動鋼板８から飛散した水滴及びスケール等がエプロン３によって遮られ、これらがエプロン３の下方に侵入することによる測定精度の低下が抑制される。
【００４８】
また、放射温度計２はハウジング４の上側部分に設置されている。これにより、ハウジング４が浸水する等のトラブル発生時において、放射温度計２が浸水することによる破損を抑制することができる。
【００４９】
また、エプロン３にカーテン３２が設けられているので、ローラ７１から飛散した冷却水がハウジング４に直接かかることが防止され、放射温度計２の測定精度の低下が抑制される。
【００５０】
（その他の実施の形態）
なお、上述した実施の形態においては、２次元のセンサアレイを具備する放射温度計２を使用する構成について述べたが、これに限定されるものではない。１次元のセンサアレイ（画素が一列に並んだラインセンサ）を具備する放射温度計を使用することもできる。但し、２次元のセンサアレイでは、移動鋼板８からの放射光を受光している画素列を特定することができ、その画素列を測定に使用することが可能となる。また、１次元のセンサアレイでは、そのセンサアレイの位置ずれが生じやすく、位置調節が必要となる。このため、２次元のセンサアレイを具備する放射温度計を使用する方が好ましい。
【００５１】
また、窓４１をガラス製としたが、これに限定されるものではない。０．９〜１．７μｍの波長の放射光を透過する材料であれば、ガラス以外であってもよい。例えば、耐熱性を有するアクリル板等の合成樹脂製の板材を使用することもできる。
【００５２】
また、本実施の形態においては放射温度計２の測定可能な波長の範囲を０．９〜１．７μｍとしたが、これに限定されるものではない。この場合、放射温度計の測定可能な波長の放射光を透過可能な材料により窓４１を構成する必要がある。
【００５３】
また、エプロン３の前側にカーテン３２を設ける構成について述べたが、これに限定されるものではない。可撓性を有するシート状のカーテン３２ではなく、板材をエプロン３の前側に垂下するように取り付け、これによってローラ７１から飛散する冷却水の侵入を防止する構成としてもよい。
【産業上の利用可能性】
【００５４】
本発明の移動鋼材の表面温度測定装置及び移動鋼材の表面温度測定方法は、圧延中の鋼板等の高温移動鋼材の表面温度測定装置及び表面温度測定方法として有用である。
【符号の説明】
【００５５】
１  表面温度測定装置
２  放射温度計
２ａ，２ｂ  ケーブル
２１  レンズ
２２  水冷ジャケット
２２ａ  給水用チューブ
２２ｂ  排水用チューブ
２３  温度計ボックス
２４  制御部
３  エプロン
３ａ  鋼板
３ｂ，３ｃ  鋼板
３１  開口部
３２  カーテン
４  ハウジング
４ａ  傾斜部
４１  窓
４２  パッキン
５  反射板
６  パージ部
６１  ノズルヘッド
６２  ノズル
７１，７２  ローラ
７１ａ，７２ａ  ローラ冷却水ノズル
８  移動鋼板
９１  パーソナルコンピュータ
９２  テレビモニタ
【図１】
2013250054.tif 000003
【図２】
2013250054.tif 000004
【図３】
2013250054.tif 000005
【図５】
2013250054.tif 000006
【図６】
2013250054.tif 000007
【図７】
2013250054.tif 000008
【図４】
2013250054.tif 000009